(57)【要約】【課題】ディジタルディスク画像記録装置の業者が、ディジタルディスク画像記録装置の出荷後、各所に配置されたディジタルディスク画像記録装置に対し、ネットワークを介してアクセスして、ディジタルディスク画像記録装置内のプログラムやデータなどを更新できるようにする。【解決手段】ディジタルディスク画像記録装置３に、ＣＰＵ５と、ＣＰＵ５が実行するプログラム及びＣＰＵ５が参照するデータを記憶する記憶部（ＲＯＭ１１）と、ネットワーク接続手段８と、固定ＩＰアドレスを記憶する記憶手段（例えばＲＯＭ１１）と、変更可能なＩＰアドレスを記憶するフラッシュメモリ２と、を具備させる。【選択図】    図１
2004215208.tif 000002
【特許請求の範囲】
【請求項１】
制御手段と、
前記制御手段が実行するプログラム及び前記制御手段が参照するデータを記憶する記憶部と、
ネットワーク接続手段と、
少なくとも１つの固定されたＩＰアドレスを記憶する記憶手段と、
少なくとも一つのＩＰアドレスを記憶する更新可能領域を設けてあるメモリと、を具備するディジタルディスク画像記録装置の通信方式。
【請求項２】
前記ディジタルディスク画像記録装置が有するディジタルディスクは、ハードディスクである、請求項１記載のディジタルディスク画像記録装置の通信方式。
【発明の詳細な説明】
【０００１】
【発明の属する技術分野】
本発明は、ディジタルディスク画像記録装置の通信方式に関する。
【０００２】
【従来の技術】
画像情報を撮像し記憶する各記録装置ないし監視装置（伝送元）にＩＰアドレス（Ｉｎｔｅｒｎｅｔ  Ｐｒｏｔｏｃｏｌ  Ａｄｄｒｅｓｓ）を付して、その伝送元からセンタ（伝送先）へ画像情報を含む各種の情報を伝送する技術が知られている。センタでは、ＩＰアドレスによって、監視装置を呼び出すことができるし、また、アクセスしてきた伝送元を特定することもできる。
しかし、ＩＰアドレスは、機器の使用者が取得することができるので、ディジタルディスク画像記録装置の使用者ないし設置者が、そのＩＰアドレスを出荷時に付されたＩＰアドレスから変更すると、ディジタルディスク画像記録装置の業者、すなわちその販売者ないしメーカは、出荷後の該ディジタルディスク画像記録装置と通信できないことになり、メンテナンスなどができなくなってしまう。
なお、画像記録装置にＩＰアドレスを付す例は、特開２０００−３４７７２２号公報に開示されている。
【０００３】
【特許文献１】
特開２０００−３４７７２２号公報
【０００４】
【発明が解決しようとする課題】
本発明に係るディジタルディスク画像記録装置の通信方式は、上記した従来の技術が有する問題点に鑑み成されたものであり、次の課題を解決することを目的とする。
ディジタルディスク画像記録装置の業者、すなわちそのメーカや販売者やサービス業者が、ディジタルディスク画像記録装置の出荷後、各所に配置されたディジタルディスク画像記録装置に対し、ネットワークを介してアクセスして、ディジタルディスク画像記録装置内のプログラムやデータなどを更新できるようにすることが目的である。
【０００５】
【課題を解決するための手段】
上記課題を解決するための本発明の第１発明は、請求項１に記載されたとおりのディジタルディスク画像記録装置の通信方式であり、次のようなものである。制御手段と、前記制御手段が実行するプログラム及び前記制御手段が参照するデータを記憶する記憶部と、ネットワーク接続手段と、少なくとも１つの固定されたＩＰアドレスを記憶する記憶手段と、少なくとも一つのＩＰアドレスを記憶する更新可能領域を設けてあるメモリと、を具備する構成である。
【０００６】
上記課題を解決するための本発明の第２発明は、請求項２に記載されたとおりのディジタルディスク画像記録装置の通信方式であり、次のようなものである。請求項１記載のディジタルディスク画像記録装置の通信方式において、前記ディジタルディスク画像記録装置が有するディジタルディスクは、ハードディスクである、請求項１のディジタルディスク画像記録装置の通信方式。
【０００７】
【発明の実施の形態】
図１は、本発明に係わるディジタルディスク画像記録装置の通信方式の実施の一形態を示すブロック図である。
ディジタルディスク画像記録装置３は、通信インタフェース装置であるネットワーク接続手段８を具備させ、ネットワーク９に接続できる構成としておく。
また、ディジタルディスク画像記録装置３は、カメラ１３などの撮像手段が撮影する画像情報もしくは音声情報を含む画像情報を記録する装置であり、その記録媒体として、光ディスクや磁気ディスクなどのディジタル（信号記録）ディスクを具備する。ここでは、ディジタルディスクには、ハードディスク６を使うものとする。
さらにまた、ディジタルディスク画像記録装置３は、制御手段として、ＣＰＵ５、ＲＯＭ１１及びＲＡＭ７などを具備しており、ＣＰＵ５は、ＲＯＭ１１に格納されている所定のプログラム（図示せず）に従って、所定の各種動作を実行する。なお、ＲＡＭ７は、ＣＰＵ５のいわゆるワークエリアとして使用する。
そしてまた、ＲＯＭ１１には、固定ＩＰアドレス１を記録する。少なくとも１個の固定ＩＰアドレス１は、ディジタルディスク画像記録装置３の製造段階で、すなわち出荷前段階までにＲＯＭ１１に書き込んでおくものであり、ディジタルディスク画像記録装置３の使用者や運用者は、ＲＯＭライタなどを使用すれば話しは別であるけれども、原則としてそれを書き換えることができない。従って、ディジタルディスク画像記録装置３の業者ないし管理者は、このディジタルディスク画像記録装置３がネットワーク９に接続し得る環境に設置されると、前記業者ないし管理者の通信装置１０（例、携帯端末、パーソナルコンピュータ、サーバなど）は、該固定ＩＰアドレス１を使ってネットワーク９を介してディジタルディスク画像記録装置３にアクセスして、それと通信したり、そのフラッシュメモリ２の内容の一部もしくは全部を更新したりできる。
ネットワーク９の例としては、電話網、ＩＰ網、ＬＡＮ、インターネットなどが挙げられる。
なお、画像入力部１４は、カメラ１３とＣＰＵ５のインタフェースであり、例えば、圧縮チップ、バッファメモリなどを構成要素として含むブロックである。もしくは、画像入力部１４は、圧縮・伸長チップ、バッファメモリなどを構成要素として含むブロックである。
【０００８】
ディジタルディスク画像記録装置３は、上記した固定ＩＰアドレス１の他に、ディジタルディスク画像記録装置３の使用者が所望するなら、使用者が適宜変更することが可能な可変ＩＰアドレスを持ち得る構成である。そのために、ディジタルディスク画像記録装置３は、望ましくは不揮発性の記憶素子であるフラッシュメモリ２を設けるなどして、そこに変更可能ＩＰアドレス記憶領域４を確保する。ディジタルディスク画像記録装置３の使用者は、変更可能ＩＰアドレス記憶領域４に、取得したＩＰアドレス（単数でも複数でも可）を記憶させる。あるいは、ディジタルディスク画像記録装置３の製造もしくは出荷の段階で、その業者に可変ＩＰアドレス（単数でも複数でも可）を予め変更可能ＩＰアドレス記憶領域４に格納しておくように依頼する。
もちろん、ディジタルディスク画像記録装置３は、固定ＩＰアドレス１をネットワーク９との接続に使用することもできるので、変更可能ＩＰアドレス記憶領域４に可変ＩＰアドレス（図示せず）を一つも記憶させない実施の形態も可能である。
本実施の形態によれば、ディジタルディスク画像記録装置３の使用者は、ネットワーク環境の変化に応じて、自分が望むＩＰアドレスを適宜取得して、変更可能ＩＰアドレス記憶領域４に記憶させて、ネットワーク９にアクセスすることができる。
そして、その場合でも、もちろん固定ＩＰアドレス１は、不変である。ディジタルディスク画像記録装置３のネットワーク９上での所在が不明となることはなく、業者や管理者が管轄する通信装置１０とディジタルディスク画像記録装置３との通信可能性は、そのまま維持される。また、通信装置１０の側では、通信装置１０にアクセスしてくるディジタルディスク画像記録装置３を特定することもできる。
【０００９】
図２は、本発明に係わるディジタルディスク画像記録装置の通信方式の別の実施の一形態を示すブロック図である。
ディジタルディスク画像記録装置３は、上述したように、固定ＩＰアドレス１を記憶しており、また、変更可能ＩＰアドレス記憶領域４を有し、そこに可変ＩＰアドレスを格納可能である。
この固定ＩＰアドレス１及び可変ＩＰアドレスは、両方ともフラッシュメモリ２に格納してもよい。図２では、一つのフラッシュメモリ２を書込み不可領域１２と書込み可領域２２とに分け、書込み不可領域１２に固定ＩＰアドレス１を記憶させ、書込み可領域２２に変更可能ＩＰアドレス記憶領域４を設ける実施の形態を示している。
なお、ディジタルディスク画像記録装置３は、固定ＩＰアドレス１を１個のフラッシュメモリに記憶させ、それとは別のフラッシュメモリに変更可能ＩＰアドレス記憶領域４を確保する構成としてもよい。
【００１０】
【発明の効果】
本発明に係るディジタルディスク画像記録装置の通信方式は、以上説明してきたような構成であるので、以下に記載する効果を奏する。
ディジタルディスク画像記録装置は、固定ＩＰアドレスを予め記憶しており、その固定ＩＰアドレスにて通信が可能である。一方、ディジタルディスク画像記録装置の使用者は、自分が望む可変ＩＰアドレスを取得することも可能である。
従って、ディジタルディスク画像記録装置の業者や管理者、すなわちそのメーカや販売者やサービス業者やネットワーク管理者などは、ディジタルディスク画像記録装置の出荷後、各所に配置されたディジタルディスク画像記録装置に対し、ネットワークを介してアクセスして、ディジタルディスク画像記録装置内のプログラムやデータなどを更新すること可能である。
本発明によれば、ネットワークに接続可能な環境に設置されたディジタルディスク画像記録装置（単数でも複数でも対応可能）において、その業者や管理者は、いつでも所望のときに、予めディジタルディスク画像記録装置に付与しておく固有の固定ＩＰアドレスを利用して、その画像記録装置にアクセスし、それとの通信が可能となった。
【図面の簡単な説明】
【図１】本発明に係わるディジタルディスク画像記録装置の通信方式の実施の一形態を示すブロック図である。
【図２】本発明に係わるディジタルディスク画像記録装置の通信方式の別の実施の一形態を示すブロック図である。
【符号の説明】
１  固定ＩＰアドレス
２  フラッシュメモリ
３  ディジタルディスク画像記録装置
４  変更可能ＩＰアドレス記憶領域
５  ＣＰＵ
６  ハードディスク
７  ＲＡＭ
８  ネットワーク接続手段
９  ネットワーク
１０  通信装置
１１  ＲＯＭ
１２  書込み不可領域
１３  カメラ
１４  画像入力部
２２  書込み可領域
【図１】
2004215208.tif 000003
【図２】
2004215208.tif 000004